(57)【特許請求の範囲】
【請求項１】
鋼板製の一対の接合金物を、梁などの横架材の端部に、該端部に設けた係合溝の側壁の内側に重ね合わせて止着し、該接合金物間に先端側の上方において前記横架材を通じて掛止杆を架設すると共に、柱や胴差などの構造材の側面に突設し、しかも、前記接合金物間に介在させた突子に前記掛止杆を掛止した、横架材の接合装置。
【請求項２】
組付片と該組付片の先端に連設した係止片とから成る、一対の接合金物を、梁などの横架材の端部に、該端部に設けた下端開口の係合溝の側壁に前記組付片を重ね合わせて止着し、該接合金物の前記組付片間に先端側の上方において前記横架材を通じて掛止杆を架設すると共に、該掛止杆を互いに相対する前記係止片間の間隙を貫通した状態で受支する第一突子と、該第一突子より下側にして前記間隙を通じた状態で前記組付片間に介在させる適宜数の第二突子を、柱や胴差などの構造材の側面に突設し、前記第二突子に掛止する第二掛止杆と前記第一突子と第二突子の一方又は双方の下縁に係止する係止杆のそれぞれの嵌挿孔を横架材の前記端部の側面に横設した、横架材の接合装置。
【発明の詳細な説明】
【０００１】
【産業上の利用分野】
本発明は、木造建物の梁、桁などの横架材を、柱や胴差などの構造材に接合するために適用する横架材の接合装置に関するものである。
【０００２】
【従来の技術】
梁や桁などの横架材を柱や胴差などの構造材に接合するために、所謂ほぞ接合方式に代えて例えば、実開平４−２０５０３号公報記載のような接合金具方式のものが主流化しつつある。
【０００３】
【発明が解決しようとする課題】
前記公報記載の構造のものは、構造材の側面に接合金具を取付け、該接合金具に対して横架材の端面に設けたスリットを係合して接合することを基本とするため、プレカット工場等の工場からの出荷時には構造材である木材の側面より接合金具が突出した状態にあると運搬、取扱上不便であるため、現場で接合金具を木材に取付ける必要があり、そのため現場では騒音、工期の長期化等様々な不都合が生じる。
【０００４】
本発明は、上記のような従来例の欠点を可及的に回避し、横架材の確実な接合を行うことのできる装置を提供すべく創案したものである。
【０００５】
【課題を解決するための手段】
鋼板製の一対の接合金物を、梁などの横架材の端部に、該端部に設けた係合溝の側壁の内側に重ね合わせて止着し、該接合金物間に先端側の上方において前記横架材を通じて掛止杆を架設すると共に、柱や胴差などの構造材の側面に突設し、しかも、前記接合金物間に介在させた突子に前記掛止杆を掛止したものである。
なお、この構成を具体的にして組付片と該組付片の先端に連設した係止片とから成る、一対の接合金物を、梁などの横架材の端部に、該端部に設けた下端開口の係合溝の側壁に前記組付片を重ね合わせて止着し、該接合金物の前記組付片間に先端側の上方において前記横架材を通じて掛止杆を架設すると共に、該掛止杆を互いに相対する前記係止片間の間隙を貫通した状態で受支する第一突子と、該第一突子より下側にして前記間隙を通じた状態で前記組付片間に介在させる適宜数の第二突子を、柱や胴差などの構造材の側面に突設し、前記第二突子に掛止する第二掛止杆と前記第一突子と第二突子の一方又は双方の下縁に係止する係止杆のそれぞれの嵌挿孔を横架材の前記端部の側面に横設した構成にする手段もある。
【０００６】
【実施例】
図面は本発明に係る横架材の接合装置の一実施例を示し、図１は縦断面図、図２は横断面図、図３は接合金物の斜視図である。
【０００７】
実施例の接合装置は、横架材（実施例では梁であるが桁でもよい）１側に一対の接合金物Ａ，Ａを取付け（固定し）、該接合金物Ａと構造材（実施例では柱であるが、胴差でも良い）２側に設けた第一突子３および第二突子４を互いに組合わせて前記横架材１を構造材２に接合するものである。
【０００８】
接合金物Ａは、縦長方形状の組付片５と該組付片５の先端を折曲状にして連設した係止片６とから成る鋼板製断面Ｌ形体で成り、組付片５の前記係止片６側の先端部に一対三組の第一透孔７，７、７，７、７，７を、後端部に３個の第二透孔７Ａ，７Ａ，７Ａをそれぞれ上下対称的の設けて左右勝手を選択して自在に使用できるようにしたものである。
【０００９】
また、実施例の接合金物Ａは、前記横架材１の端面１ａに面して左右いずれの側にも適用できるようにして当該接合金物Ａの製造コストや在庫管理費の低減を図ったものであるが、これらの点を無視すれば、左右勝手それぞれ専用の接合金物（例えば、透孔７，７Ａ位置を上下非対称的に設けて）を用いても不都合はない。
【００１０】
なお、前記一対三組の第一透孔７，７、７，７、７，７は各組において上位側のものが常に用いられ、下位側のものも常に用いて差し支えないが、図１で示す通り、実施例では最下位の組の下位側のもの（左右勝手を選択して適用方向を決めた当該接合金物Ａの）みを用いている。
【００１１】
前記横架材１の端部１´の側面には、組付片５の先端部側に設けた前記各組の第一透孔７，７中の上位側のもの７と一致する位置にして第一嵌挿孔８，８，８を設け、該第一嵌挿孔８，８，８中の最下位の第一嵌挿孔８（便宜上、符号８ａで示す）の下側には該嵌挿孔８（符号、８ａで示す）と対応する前記第一透孔７（便宜上、符合７ａで示す）と前記一組を成す下位側の透孔７（便宜上、符号７ｂで示す）と一致する位置にして他の第一嵌挿孔８（便宜上、符号８ｂで示す）を設ける一方、前記端部１´の側面の後端側には前記組付片５の後端部側に設けた第二透孔７Ａ，７Ａ，７Ａと一致する位置にして第二嵌挿孔８Ａ，８Ａ，８Ａを横設してある。
【００１２】
また、横架材１の端面１ａには、これら嵌挿孔８，８Ａと交叉するようにして下端開口の係合溝（縦溝）９を設け、係合溝９は、構造材２側に突設した前記第一突子３と第二突子４が係合できる奥行幅を有する溝部９ａと該溝部９ａの奥壁の両隅部に溝部９ａを部分的に延長させて設けた一対のスリット部９ｂ，９ｂで構成し、この係合溝９に勝手方向を選択した一対の前記接合金物Ａ，Ａを係合して前記の通り横架材１（の端部１´）を固定してある。すなわち、接合金物Ａは、組付片５部を係合溝９のスリット部９ｂに嵌挿させて係止片６部を溝部９ａに配するようにして組付片５の後端部側に設けた第二透孔７Ａと横架材２側に設けた第二嵌挿孔８Ａを一致させ、これらにドリフトピンで構成した固定杆１０を、また、互いに一致する第一透孔７と第一嵌挿孔８同士中の最上位のものにドリフトピンで構成した最上位の掛止杆である第一掛止杆１１をそれぞれ打ち込み、嵌挿して横架材１端部に固定し、横架材１の端面１ａ側には、組付片５，５より互いに対向方向に折曲状にして突設した係止片６，６で構成される間隙１２を形成し、該間隙１２は、上部において組付片５，５（接合金物Ａ，Ａ）間に横架材１を通じて架設した最上位に位置する前記第一掛止杆１１と横架材１の長手方向に重なり合わせてある。
【００１３】
前記第一、第二の各突子３，４は、前記構造材２を貫通させ、構造材２より突出させた螺子部１３にナット１４を螺合して取付けたボルト杆１５の頭部側で構成し、構造材２の側面（横架材１との対向面）に、前記間隙１２或いは第一透孔７や第一嵌挿孔８と相対的に設定される位置関係にして縦方向に並設し、第一突子３は前記第一掛止杆１１（最上位の第一透孔７や第一嵌挿孔８）と、第二突子４は最上位のものを除く他の第一透孔７（７ａ，７ｂ）や最上位のものを除く他の第一嵌挿孔８（８ａ，８ｂ）とそれぞれ一致するようにして構造材２に突設したものである。
【００１４】
突子３，４に備えたテーパ縁３´，４´（円錐台形体で構成した）は、横架材の構造材２方向への引寄せ作用をするもので、第一突子３のテーパ縁３´に第一掛止杆１１が載ったとき、その傾斜により該掛止杆１１は降下しつつ構造材２方向へ移動し、接合金具Ａを取付けた横架材１は構造材２方向へ引き寄せられることになり、また、第二突子４のテーパ縁４´の場合は、該テーパ縁４´の一部が重なり合うようにして接合金具Ａに設けた第一透孔７（７ａ，７ｂ）（最上位のものを除く）に第二掛止杆１１Ａ又は係止杆１６を挿通させたとき、掛止杆１１Ａ又は係止杆１６がテーパ縁４´を相対的に押圧して第一透孔７（７ａ，７ｂ）に挿通されることになり、第二掛止杆１１Ａ等により押圧されたテーパ縁４´すなわち第二突子４は定置状態にあるから第二掛止杆１１Ａ等を組付けた接合金具Ａすなわち横架材１側が構造材２方向に移動することになり、接合金具Ａを取付けた横架材１は構造材２方向へ引き寄せられることになる。
【００１５】
そして、横架材１に接合金具Ａを固着して設けた（係止片６，６で構成される）間隙１２に構造材２に突設した第一突子３及び第二突子４が相対的に係合するようにして横架材１を構造材２の側面に沿って降下させると、間隙１２の上部側に配した第一掛止杆１１が第一突子３に掛止し、横架材１は第一突子３に掛止杆１１を介して受止されて構造材２に仮接合される。この状態で互いに連通状態に有る第一透孔７（７ａ，７ｂ）と第一嵌挿孔８に第二掛止杆１１Ａを打ち込み、嵌挿すると、第二掛止杆１１Ａは横架材１に横設、固定され第二突子４に受止される位置に配され、横架材１側の荷重を第二突子４に負荷させ、耐荷重強度を得られる。
【００１６】
また、第二掛止杆１１Ａの打込み操作と相前後して最下位の第一透孔７（符号７ｂで示している）と第一嵌挿孔８（符号８ｂで示す）に前記係止杆１６を打ち込み、嵌挿させると係止杆１６は最下位の第二突子４の下縁に接する位置にして横架材１に横設され、横架材１に下方から外力が負荷したとき、係止杆１６が下位の第二突子４に係止して横架材１の浮き上りが防止される。
【００１７】
なお、第二突子４（これに対応する第二透孔７や第二嵌挿孔８）の数は適宜選択すれば良く、適宜数のものを選択して利用しても良く、また、第一、第二の掛止杆１１，１１Ａは各突子（実施例では第一突子３と第二突子４の全部）の全部又は適宜のものに対応させて設けても良い（実施例の配置に限定する必要はない）。
【００１８】
なお、図１７は、ボルト杆１５の頭部側（突子３，４側）に設けた係止鍔で、該係止鍔１７が構造材２の側面に係止することにより各突子３，４を設計通りの位置に配することができるのである。
【００１９】
【発明の効果】
本発明は前記の通り、接合金具を木材の端面側に組付けるものであるから運搬上不都合が生じることがなく、また、従来例と同様、横架材を構造材に確実に接合することのできる斬新な構造の接合装置を提供できる。
【図面の簡単な説明】
【図１】縦断面図。
【図２】横断面図。
【図３】補強金具の斜視図。
【符号の説明】
Ａ      接合金物
１      横架材
１´    端部
２      構造材
３      第一突子
４      第二突子
５      組付片
６      係止片
８      嵌挿孔
９      係合溝
１１    掛止杆
１１Ａ  第二掛止杆
１２    間隙
１６    係止杆
【図１】
0003831244.tif 000002
【図２】
0003831244.tif 000003
【図３】
0003831244.tif 000004